(57)【要約】      （修正有）【課題】内側カップが腐食することがなく、衝撃に強く飲料の味を長期に保持することができる断熱容器を提供する。【解決手段】容器は、ステンレス鋼の外側ベッセル１０４内に配置されるカップ形状の内側ベッセル１０２と蓋１１０とを有する。内側ベッセルは、動物の骨、リン、カリウム、炭素、水素、酸素、及び窒素を含む非多孔質のボーンチャイナを有し、真空チャンバ１０６が内側ベッセルと外側ベッセルとの間に形成される。【選択図】図１
0003193635.tif 000002
【実用新案登録請求の範囲】
【請求項１】
断熱容器であって、
ステンレス鋼の外側ベッセル内に設けられるカップ形状の内側ベッセルと、
蓋と、を有し、
前記内側ベッセルはボーンチャイナを有し、真空チャンバが前記内側ベッセルと前記外側ベッセルとの間に形成される、断熱容器。
【請求項２】
請求項１に記載された断熱容器であって、
温度センサと温度インジケータをさらに有する、断熱容器。
【請求項３】
請求項１又は２に記載された断熱容器であって、
タイマとタイミングインジケータをさらに有する、断熱容器。
【請求項４】
請求項１ないし３のいずれか一項に記載された断熱容器であって、
ボーンチャイナは、牛骨、リン、カリウム、炭素、水素、酸素、及び窒素のうち少なくとも一つを有する、断熱容器。
【請求項５】
請求項４に記載された断熱容器であって、
前記牛骨は、ボーンチャイナの２５％以上４０％以下を構成する、断熱容器。
【請求項６】
請求項１ないし５のいずれか一項に記載された断熱容器であって、
前記真空チャンバの幅は、０．５ｍｍ以上２．５ｍｍ以下である、断熱容器。
【請求項７】
請求項１ないし６のいずれか一項に記載された断熱容器であって、
前記外側ベッセルはＳｕ３０４ステンレス鋼を有する、断熱容器。
【請求項８】
請求項１ないし７のいずれか一項に記載された断熱容器であって、
前記外側ベッセルは、０．２ｍｍ以上１．５ｍｍ以下の厚みを有する、断熱容器。
【請求項９】
請求項１ないし８のいずれか一項に記載された断熱容器であって、
前記内側ベッセルは、１ｍｍ以上４ｍｍ以下の厚みを有する、断熱容器。
【考案の詳細な説明】
【技術分野】
【０００１】
[1]本考案は断熱容器に関し、特に、温かい飲料又は冷たい飲料を収容するための断熱容器に関する。
【背景技術】
【０００２】
[2]断熱容器は、後の消費のために、飲料を保温又は保冷するのに便利である。
【０００３】
[3]既知の容器は、ステンレス鋼の内側カップと、ステンレス鋼の外側仕上げ部を有する。そのような容器は、内側カップが長期の使用で腐食する可能性があり、その場合、容器を安全に使用できなくなるという問題を有する。
【０００４】
[4]他の既知の容器は、ガラスからなる内側カップを有する。ガラスのデメリットはもろいことである。さらなる欠点はガラスの空隙率であり、これは飲料の臭いを保持するので、異なる飲料に容器をすぐに使用することができない。
【０００５】
[5]同様に、唇をやけどすることなく飲料を消費するために、容器内の飲料の温度を知ることはしばしば都合がよい。しかしながら、単に温度を知るだけでは不十分である。お茶のような特定の飲料では最適な浸漬時間がある。それゆえ、飲料を消費するための正しい時間を知ることは、消費者により心地よい体験を提供することができる。
【考案の概要】
【考案が解決しようとする課題】
【０００６】
[6]このように、上記のデメリットを解消する断熱容器又は少なくとも新規の断熱容器が必要とされている。
【０００７】
[7]さらに、他の望ましい特徴や特性が、この背景技術の開示及び添付の図面と併せて、後述する詳細の説明及び添付の実用新案登録請求の範囲から明らかになる。
【課題を解決するための手段】
【０００８】
[8]本考案の実施形態によれば、断熱容器であって、容器が、ステンレス鋼の外側ベッセル内に設けられたカップ形状の内側ベッセルと、蓋を有し、内側ベッセルがボーンチャイナを有し、内側ベッセルと外側ベッセルとの間に真空チャンバが形成される、断熱容器が記載される。
【０００９】
[9]好ましくは、上記容器は、さらに温度センサと温度インジケータを有する。
【００１０】
[10]好ましくは、上記容器は、さらにタイマとタイミングインジケータを有する。
【００１１】
[11]好ましくは、ボーンチャイナは、牛骨、リン、カリウム、炭素、水素、酸素、及び窒素のうち少なくとも一つを含む。
【００１２】
[12]好ましくは、牛骨は、ボーンチャイナの２５％以上４５％以下を構成する。
【００１３】
[13]好ましくは、真空チャンバの幅は０．５ｍｍ以上２．５ｍｍ以下である。
【００１４】
[14]好ましくは、外側ベッセルはＳｕ３０４ステンレス鋼を有する。
【００１５】
[15]好ましくは、外側ベッセルは０．２ｍｍ以上１．５ｍｍ以下の厚みを有する。
【００１６】
[16]好ましくは、内側ベッセルは１ｍｍ以上４ｍｍ以下の厚みを有する。
【００１７】
[17]添付図面を参照しつつ本考案を詳細に説明する。
【００１８】
[18]添付図面はそれぞれの図を通じて同じ参照符号は同一の要素又は機能的に類似の要素を示し、以下の詳細な説明と共に明細書に組み込まれ又は明細書の一部を構成する。添付図面は、多様な実施形態を説明し、本実施形態に従って多様な原理と利点を説明するのに役立つ。
【図面の簡単な説明】
【００１９】
【図１】[19]図１は、本実施形態による断熱容器の断面図である。
【図２】[20]図２は、図１の断熱容器の蓋の上面図である。
【考案を実施するための形態】
【００２０】
[21]当業者であれば、図面中の要素が単純化及び明確化されて示されており、必ずしも同尺度で記載されていないことが理解されるであろう。例えば、いくつかの要素の寸法は、本実施形態の理解の改善を補助するために、他の要素に対して誇張される可能性がある。
【００２１】
[22]以下の詳細な説明は事実上単なる例示であり、本考案又は本願、及び本考案の使用を限定する意図はない。さらに、上述の背景技術又は以下の詳細の説明に存在するどんな理論によっても拘束される意図はない。本考案の意図は、断熱容器を提示することにある。
【００２２】
[23]図１を参照すると、本実施形態に係る断熱容器１００の断面図が示される。容器１００は、ステンレス鋼の外側ベッセル１０４の内部に配置されるカップ形状の内側ベッセル１０２を有する。真空チャンバ１０６が内側ベッセル１０２と外側ベッセル１０４との間に形成される。
【００２３】
[24]内側ベッセル１０２は、軟質磁器としても知られているボーンチャイナを有する。好ましくは、ボーンチャイナは、動物の骨、リン、カリウム、炭素、水素、酸素、及び窒素を含む。好ましくは、ボーンチャイナの組成の２５％以上４０％以下は、動物の骨からなる。好ましくは、動物の骨は、牛骨である。ボーンチャイナは、非多孔質である。有利には、これはボーンチャイナに熱をより保持させ、飲料を長時間温かく又は冷たく保つことができる。ボーンチャイナの非多孔質であることのさらなる利点は、ボーンチャイナが最小限の臭いを保持し、飲料の本物の味を保つことである。ボーンチャイナは、容器１００の内容物と化学反応を生じない。したがって、容器１００の活用時に、消費者は、腐食のような有害な化学反応の心配がない。
【００２４】
[25]同様に、ボーンチャイナは洗浄しやすいので、容器１００を多くの手間をかけることなくすぐに再使用することができる。ボーンチャイナの他の利点は、耐チップ性を有することであり、容器１００を毎日の使用に対して頑丈にすることである。ボーンチャイナの他の利点は、重量が軽いことである。ボーンチャイナを有する内側ベッセル１０２の重量は１２０ｇ以上３００ｇ以下とすることができる。したがって、典型的な容器１００の重量は２００ｇ以上８００ｇ以下とすることができる。好ましくは、内側ベッセル１０２は１ｍｍ以上４ｍｍ以下の厚みを有する。好ましくは、内側ベッセル１０２は５ｃｍ以上１０ｃｍ以下の直径を有する。好ましくは、内側ベッセル１０２は１２ｃｍ以上２０ｃｍ以下の高さを有する。
【００２５】
[26]好ましい実施形態では、真空チャンバ１０６は、内側ベッセル１０２を覆い尽くす。真空チャンバ１０６は内側ベッセル１０２の内容物に対する断熱性を提供する。好ましくは、真空チャンバ１０６の幅は０．５ｍｍ以上２．５ｍｍ以下である。ボーンチャイナと真空チャンバ１０６からなる内側ベッセル１０２の組み合わせは、容器１００の内容物（例えば飲料）を３時間以上１０時間以下にわたって温かく又は冷たく維持することができる。
【００２６】
[27]好ましくは、ステンレス鋼の外側ベッセル１０４は０．２ｍｍ以上１．５ｍｍ以下の厚みを有する。好ましくは、ステンレス鋼はＳｕ３０４が用いられる。ステンレス鋼の外側ベッセル１０４はさらに容器１００を補強し、より容器１００を丈夫にする。同様に、外側ベッセル１０４は、頻繁に洗浄されても錆びない。
【００２７】
[28]容器１００は、同様に蓋１１０を有する。蓋１１０は、容器１００をシールする。蓋１１０は、縁１０８のネジ山に係合する。この「ねじ式」の係合は容器１００の内容物の漏れを最小限にし、容器１００の内容物がより長い時間温かく又は冷たく保持されることを保証する。「スナップ式」の係合又は他の均等物が「ねじ式」の係合に代えて使用され得ることは、当業者に明らかである。
【００２８】
[29]好ましい実施形態では、蓋１１０は、同様に温度センサ１１２と、温度インジケータ１１４とを有する。温度センサ１１２は蓋１１０の内面に配置され、温度センサ１１２は温度計を用いて容器１００の内側の環境温度を取得し、その後この情報を温度インジケータ１１４に中継する。
【００２９】
[30]図２を参照すると、蓋１１０の上面図が示される。温度インジケータ１１４は蓋１１０の外面に設けられる。好ましくは、温度インジケータ１１４は発光ダイオード（Ｌｉｇｈｔ  Ｅｍｉｔｔｉｎｇ  Ｄｉｏｄｅ：ＬＥＤ）である。温度インジケータ１１４は、測定された温度を数字として表示することができる。
【００３０】
[31]温度インジケータ１１４を有することの利点は、熱すぎる飲料をうっかり飲んでしまうことを防ぐことである。温度インジケータ１１４は、飲料が冷めてしまう前に、飲料を消費する人に対して思い出させるものとして同様に役立つ。温度センサ１１２と温度インジケータ１１４が蓋１１０に配置されるものとして図面に示されているが、当業者であれば温度センサ１１２と温度インジケータ１１４は容器１００のどこに配置してもよいことを十分に理解できるであろう。
【００３１】
[32]容器１００は、同様にタイマ１１６（図示せず）とタイミングインジケータ１１８を有してもよい。お茶などの特定の飲料は好ましい浸漬時間を有する。タイマ１１６を有することの利点は、時間の経過をたどり、タイミングインジケータ１１８を介してこの情報を消費者に提供することである。したがって、消費者は、お茶が好ましい浸漬時間を経たときがわかり、ようやくお茶を消費し、全体的な飲料体験が高められる。
【００３２】
[33]タイマ１１６は、タイマ設定を調節することによりユーザの所望のタイミングに従って設定され得、又は購入時に予めすでに設定され得る。タイマ１１６は手動で、又は自動的に起動され得る。例えば、タイマ１１６の自動起動は、蓋１１０が縁１０８のねじ山に係合したときに、始動され得る。タイミングインジケータ１１８は経過した時間を数字又はグラフとして表示することができる（図２に示される）。図２のタイミングインジケータ１１８は、５つの長円形の発光ダイオードにより表され、それにより、輝いている長円形の発光ダイオードの数が経過した時間を示す。例えば、５つの長円形の発光ダイオードが全て輝いている場合は、これは浸漬時間が経過してお茶が消費し得ることを示す。
【００３３】
[34]容器１００の温度インジケータ１１４とタイミングインジケータ１１８の組み合わせは、消費者が、飲料が飲み頃であるときがわかる点で有利である。例えば、お茶は７０℃で最も味がよく、１０分超煎じ又は浸漬をすることはできない。その利益は、消費者が温度インジケータ１１４を介した飲料の温度と、タイミングインジケータ１１８を介した時間経過と、を確かめることができ、理想の時間で飲料を飲み始めることができることである。
【００３４】
[35]このように、新規の断熱容器が提供され得る。
【００３５】
[36]ここで記載される考案は、具体的に記載されたもの以外の変形、修正、及び／又は追加を受け入れることができ、以下の実用新案登録請求の範囲の範囲内に収まる変形、修正、及び／又は追加を含むことが理解される。
【図１】
0003193635.tif 000003
【図２】
0003193635.tif 000004
【手続補正書】
【提出日】平成26年8月12日(2014.8.12)
【手続補正１】
【補正対象書類名】実用新案登録請求の範囲
【補正対象項目名】全文
【補正方法】変更
【補正の内容】
【実用新案登録請求の範囲】
【請求項１】
断熱容器であって、
ステンレス鋼の外側ベッセル内に設けられるカップ形状の内側ベッセルと、
蓋と、を有し、
前記内側ベッセルはボーンチャイナを有し、真空チャンバが前記内側ベッセルと前記外側ベッセルとの間に形成される、断熱容器。
【請求項２】
請求項１に記載された断熱容器であって、
温度センサと温度インジケータとが、前記蓋に設けられる、断熱容器。
【請求項３】
請求項１又は２に記載された断熱容器であって、
タイマとタイミングインジケータとが、前記蓋に設けられる、断熱容器。
【請求項４】
請求項１ないし３のいずれか一項に記載された断熱容器であって、
ボーンチャイナは、牛骨、リン、カリウム、炭素、水素、酸素、及び窒素のうち少なくとも一つを有する、断熱容器。
【請求項５】
請求項４に記載された断熱容器であって、
前記牛骨は、ボーンチャイナの２５％以上４０％以下を構成する、断熱容器。
【請求項６】
請求項１ないし５のいずれか一項に記載された断熱容器であって、
前記真空チャンバの幅は、０．５ｍｍ以上２．５ｍｍ以下である、断熱容器。
【請求項７】
請求項１ないし６のいずれか一項に記載された断熱容器であって、
前記外側ベッセルはＳｕ３０４ステンレス鋼を有する、断熱容器。
【請求項８】
請求項１ないし７のいずれか一項に記載された断熱容器であって、
前記外側ベッセルは、０．２ｍｍ以上１．５ｍｍ以下の厚みを有する、断熱容器。
【請求項９】
請求項１ないし８のいずれか一項に記載された断熱容器であって、
前記内側ベッセルは、１ｍｍ以上４ｍｍ以下の厚みを有する、断熱容器。